【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】 内腔と外面と開口した両端部を有する筒状体に、濡れた状態の多数の中空糸膜からなる中空糸膜束を挿入し、該筒状体に挿入したままの状態の該中空糸膜束を乾燥させた後、該筒状体の端部の形状に適合した部分を有するハウジングの該適合した部分に該筒状体を契合し、該筒状体と該ハウジングを固定し、該中空糸膜束の両端部において該ハウジングと各該中空糸膜の外面を中空糸膜内腔が開口した状態で液密に固定することを特徴とする中空糸膜モジュールの製造方法。
【請求項２】 前記適合した部分が、前記ハウジングの内面であることを特徴とする請求項１に記載の中空糸膜モジュールの製造方法。
【請求項３】 前記筒状体の端部の形状が、該筒状体のテーパ形状を有する外面であり、前記適合した部分が、前記ハウジングのテーパ形状を有する内面であることを特徴とする請求項１または２に記載の中空糸膜モジュールの製造方法。
【請求項４】 前記筒状体において、前記内腔がテーパ形状を有し、該内腔のテーパ角度が前記外面のテーパ角度よりも小さいことを特徴とする請求項１ないし３の何れかに記載の中空糸膜モジュールの製造方法。
【請求項５】 前記ハウジングが二つの部材からなり、一方の該部材が、前記筒状体の一方の端部の形状に適合した部分を有し、他方の該部材が、前記筒状体の他方の端部の形状に適合した部分を有し、該筒状体の両端とそれぞれ適合する該部材のそれぞれの部分を契合し、該筒状体の両端と該ハウジングの二つの部材をそれぞれ液密に固定することを特徴とした請求項１に記載の中空糸膜モジュールの製造方法。
【請求項６】 前記筒状体に、該筒状体の内腔断面積に対して前記中空糸膜外径基準で充填率６８％以上７８％以下、長さが３０ｍｍ以上２１２ｍｍ以下で前記中空糸膜束を装填することを特徴とする請求項１ないし５の何れかに記載の中空糸膜モジュールの製造方法。
【請求項７】 前記中空糸膜モジュールが、透析および限外濾過を行う透析器であることを特徴とする請求項１ないし６の何れかに記載の中空糸膜モジュールの製造方法。
【請求項８】 内腔とテーパを有する外面と開口した両端部を有する筒状体、該筒状体の内腔にその一部が覆われた多数の中空糸膜からなる中空糸膜束、および、該筒状体の外面のテーパ形状に適合した内面を有するハウジングを有し、該ハウジングは、前記筒状体の内腔にその一部が覆われた多数の中空糸膜からなる中空糸膜束を覆い、該中空糸膜束の両端部において各該中空糸膜の内腔が開口した状態で各該中空糸膜の外面と該ハウジングとの間を液密に固定する隔壁を有し、該筒状体と該ハウジングとが実質的に固定されていることを特徴とする中空糸膜モジュール。
【請求項９】 前記筒状体において、前記内腔がテーパ形状を有し、該内腔のテーパ角度が前記外面のテーパ角度よりも小さいことを特徴とする請求項８に記載の中空糸膜モジュール。
【請求項１０】 前記筒状体において、前記内腔のテーパ角度が該筒状体の両端部から該筒状体の軸方向中心に向かって径縮するように形成されていることを特徴とする請求項８または９に記載の中空糸膜モジュール。
【請求項１１】 内腔と外面と開口した両端部を有する筒状体、該筒状体の内腔にその一部が覆われた多数の中空糸膜からなる中空糸膜束、該筒状体の一方の端部と液密に接合したハウジング第１部材、および、前記筒状体の他方の端部と液密に接合したハウジング第２部材を有し、該ハウジング第１部材および該ハウジング第２部材は、該筒状体の内腔に覆われていない部分の該中空糸膜束を覆い、該中空糸膜束の両端部において各該中空糸膜の内腔が開口した状態で各該中空糸膜の外面と該ハウジング第１部材および該ハウジング第２部材との間をそれぞれ液密に固定する隔壁を有することを特徴とする中空糸膜モジュール。
【請求項１２】 前記中空糸膜束が前記筒状体の内腔に、その断面において、中空糸膜外径基準で充填率６８％以上７８％以下、長さが３０ｍｍ以上２１２ｍｍ以下で充填されていることを特徴とする請求項８ないし１１の何れかに記載の中空糸膜モジュール。
【請求項１３】 前記筒状体の両端部間の長さが中空糸膜の有効長の１３％以上９０％以下であることを特徴とする請求項８ないし１２の何れかに記載の中空糸膜モジュール。
【請求項１４】 前記中空糸膜モジュールが、前記中空糸膜で隔てられる第１の流路および第２の流路を有し、該中空糸膜を介して該第１の流路を流れる体液と、該第２の流路を流れる透析液との間で透析および限外濾過を行う透析器であることを特徴とする請求項８ないし１３の何れかに記載の中空糸膜モジュール。
【手続補正２】
【補正対象書類名】明細書
【補正対象項目名】００１０
【補正方法】変更
【補正の内容】
【００１０】
（１） 内腔と外面と開口した両端部を有する筒状体に、濡れた状態の多数の中空糸膜からなる中空糸膜束を挿入し、該筒状体に挿入したままの状態の該中空糸膜束を乾燥させた後、該筒状体の端部の形状に適合した部分を有するハウジングの該適合した部分に該筒状体を契合し、該筒状体と該ハウジングを固定し、該中空糸膜束の両端部において該ハウジングと各該中空糸膜の外面を中空糸膜内腔が開口した状態で液密に固定することを特徴とする中空糸膜モジュールの製造方法。
【手続補正３】
【補正対象書類名】明細書
【補正対象項目名】００１３
【補正方法】変更
【補正の内容】
【００１３】
（４） 前記筒状体において、前記内腔がテーパ形状を有し、該内腔のテーパ角度が前記外面のテーパ角度よりも小さいことを特徴とする上記（１）ないし（３）の何れかに記載の中空糸膜モジュールの製造方法。
【手続補正４】
【補正対象書類名】明細書
【補正対象項目名】００１５
【補正方法】変更
【補正の内容】
【００１５】
（６） 前記筒状体に、該筒状体の内腔断面積に対して前記中空糸膜外径基準で充填率６８％以上７８％以下、長さが３０ｍｍ以上２１２ｍｍ以下で前記中空糸膜束を装填することを特徴とする上記（１）ないし（５）の何れかに記載の中空糸膜モジュールの製造方法。
【手続補正５】
【補正対象書類名】明細書
【補正対象項目名】００１６
【補正方法】変更
【補正の内容】
【００１６】
（７） 前記中空糸膜モジュールが、透析および限外濾過を行う透析器であることを特徴とする上記（１）ないし（６）の何れかに記載の中空糸膜モジュールの製造方法。
【手続補正６】
【補正対象書類名】明細書
【補正対象項目名】００１７
【補正方法】変更
【補正の内容】
【００１７】
（８） 内腔とテーパを有する外面と開口した両端部を有する筒状体、該筒状体の内腔にその一部が覆われた多数の中空糸膜からなる中空糸膜束、および、該筒状体の外面のテーパ形状に適合した内面を有するハウジングを有し、該ハウジングは、前記筒状体の内腔にその一部が覆われた多数の中空糸膜からなる中空糸膜束を覆い、該中空糸膜束の両端部において各該中空糸膜の内腔が開口した状態で各該中空糸膜の外面と該ハウジングとの間を液密に固定する隔壁を有し、該筒状体と該ハウジングとが実質的に固定されていることを特徴とする中空糸膜モジュール。
【手続補正７】
【補正対象書類名】明細書
【補正対象項目名】００２０
【補正方法】変更
【補正の内容】
【００２０】
（１１） 内腔と外面と開口した両端部を有する筒状体、該筒状体の内腔にその一部が覆われた多数の中空糸膜からなる中空糸膜束、該筒状体の一方の端部と液密に接合したハウジング第１部材、および、前記筒状体の他方の端部と液密に接合したハウジング第２部材を有し、該ハウジング第１部材および該ハウジング第２部材は、該筒状体の内腔に覆われていない部分の該中空糸膜束を覆い、該中空糸膜束の両端部において各該中空糸膜の内腔が開口した状態で各該中空糸膜の外面と該ハウジング第１部材および該ハウジング第２部材との間をそれぞれ液密に固定する隔壁を有することを特徴とする中空糸膜モジュール。
【手続補正８】
【補正対象書類名】明細書
【補正対象項目名】００２１
【補正方法】変更
【補正の内容】
【００２１】
（１２） 前記中空糸膜束が前記筒状体の内腔に、その断面において、中空糸膜外径基準で充填率６８％以上７８％以下、長さが３０ｍｍ以上２１２ｍｍ以下で充填されていることを特徴とする上記（８）ないし（１１）の何れかに記載の中空糸膜モジュール。
【手続補正９】
【補正対象書類名】明細書
【補正対象項目名】００２２
【補正方法】変更
【補正の内容】
【００２２】
（１３） 前記筒状体の両端部間の長さが中空糸膜の有効長の１３％以上９０％以下であることを特徴とする上記（８）ないし（１２）の何れかに記載の中空糸膜モジュール。
【手続補正１０】
【補正対象書類名】明細書
【補正対象項目名】００２３
【補正方法】変更
【補正の内容】
【００２３】
（１４） 前記中空糸膜モジュールが、前記中空糸膜で隔てられる第１の流路および第２の流路を有し、該中空糸膜を介して該第１の流路を流れる体液と、該第２の流路を流れる透析液との間で透析および限外濾過を行う透析器であることを特徴とする上記（８）ないし（１３）の何れかに記載の中空糸膜モジュール。